【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
像担持体と、
現像剤からなる検出画像を前記像担持体に形成する形成手段と、
前記検出画像が形成された像担持体に向けて光を照射する光照射手段と、
前記光照射手段が照射した光の反射光を受光し、正反射光成分を含む反射光の受光量に応じた検出信号を出力する受光手段と、
前記像担持体に形成された検出画像が前記光照射手段による照射領域を通過する間に、前記検出画像が形成された第１の位置からの反射光の受光量に応じた検出信号の値と、前記第１の位置とは異なる第２の位置であって、前記第１の位置に形成された検出画像と同色で同濃度の検出画像が形成されていない前記第２の位置からの反射光の受光量に応じた検出信号の値との差に応じた、散乱反射光成分を除いた信号に基づき前記検出画像の位置情報または濃度情報を検出する検出手段と、
を備えることを特徴とする画像形成装置。
【請求項２】
前記光照射手段は、前記像担持体に発散光束を照射することを特徴とする請求項１に記載の画像形成装置。
【請求項３】
前記反射光は、光を絞るため又は集光するための光学部材を経由することなく前記受光手段により受光されることを特徴とする請求項１又は２に記載の画像形成装置。
【請求項４】
前記検出手段は、所定の期間だけ離れた２つの時間位置に応じた検出信号の値の差動処理を行うことで前記検出画像の位置情報または濃度情報を検出することを特徴とする請求項１から３のいずれか１項に記載の画像形成装置。
【請求項５】
前記検出手段は、所定の期間だけ離れた２つの区間に応じた検出信号のそれぞれの平均値の差動処理を行うことで前記検出画像の位置情報または濃度情報を検出することを特徴とする請求項１から３のいずれか１項に記載の画像形成装置。
【請求項６】
前記検出手段は、複数の時間位置に応じた検出信号の値の合計と、該複数の時間位置のそれぞれから所定の期間だけ離れた複数の時間位置に応じた検出信号の値の合計との差動処理を行うことで前記検出画像の位置情報または濃度情報を検出することを特徴とする請求項１から３のいずれか１項に記載の画像形成装置。
【請求項７】
前記検出手段は、複数の区間に応じた検出信号のそれぞれの平均値の合計と、該複数の区間のそれぞれから所定の期間だけ離れた複数の区間に応じた検出信号のそれぞれの平均値の合計との差動処理を行うことで前記検出画像の位置情報または濃度情報を検出することを特徴とする請求項１から３のいずれか１項に記載の画像形成装置。
【請求項８】
前記検出画像は、前記検出画像の移動方向において現像剤量が変化し、
前記所定の期間は、前記検出画像が移動することで、前記検出画像の現像剤量の変化により前記検出信号に生じる振動の周期とは異なる期間であることを特徴とする請求項４から７のいずれか１項に記載の画像形成装置。
【請求項９】
前記所定の期間は、前記振動の周期の略半分の期間であることを特徴とする請求項８に記載の画像形成装置。
【請求項１０】
前記検出画像は、前記検出画像の移動方向において現像剤量が変化し、
前記検出画像の移動による、前記受光手段が受光する前記検出画像からの散乱反射光量の振動が所定量以内となる様に、前記像担持体と前記受光手段との距離と、前記検出画像の現像剤量の変化は設定されていることを特徴とする請求項１から９のいずれか１項に記載の画像形成装置。
【請求項１１】
前記検出画像は、前記検出画像の移動方向とは異なる方向の１本のラインを含むことを特徴とする請求項１から７のいずれか１項に記載の画像形成装置。
【請求項１２】
前記像担持体の前記光照射手段による照射領域は曲面であることを特徴とする請求項１から１１のいずれか１項に記載の画像形成装置。
【請求項１３】
前記受光手段は、１つ以上の第１の受光部と１つ以上の第２の受光部を備えており、
前記検出手段は、前記１つ以上の第１の受光部のそれぞれが出力する第１の検出信号の値の和と、前記１つ以上の第２の受光部のそれぞれが出力する第２の検出信号の値の和との差動処理を行うことで前記検出画像の位置情報または濃度情報を検出することを特徴とする請求項１から３のいずれか１項に記載の画像形成装置。
【請求項１４】
前記検出画像は、前記検出画像の移動方向において現像剤量が変化し、
前記検出画像が移動することで、前記検出画像の現像剤量の変化により前記第１の検出信号及び前記第２の検出信号には振動が生じ、
前記第１の検出信号と前記第２の検出信号の振動の位相が異なる様に、前記第１の受光部と前記第２の受光部は配置されていることを特徴とする請求項１３に記載の画像形成装置。
【請求項１５】
前記受光手段は、複数の第１の受光部と複数の第２の受光部を備えており、
前記複数の第１の受光部のそれぞれが出力する第１の検出信号の位相が同相となり、前記複数の第２の受光部のそれぞれが出力する第２の検出信号の位相が同相となる様に、前記複数の第１の受光部と前記複数の第２の受光部は配置されていることを特徴とする請求項１４に記載の画像形成装置。
【請求項１６】
前記検出画像は、前記検出画像の移動方向において現像剤量が変化し、
前記検出画像の移動による、前記第１の受光部及び前記第２の受光部が受光する前記検出画像からの散乱反射光量の振動が所定量以内となる様に、前記像担持体と前記受光手段との距離と、前記検出画像の現像剤量の変化は設定されていることを特徴とする請求項１３から１５のいずれか１項に記載の画像形成装置。
【請求項１７】
前記検出画像は、前記検出画像の移動方向とは異なる方向の１本のラインを含むことを特徴とする請求項１３に記載の画像形成装置。
【請求項１８】
像担持体と、
現像剤からなる検出画像を前記像担持体に形成する形成手段と、
前記検出画像が形成された像担持体に向けて光を照射する光照射手段と、
前記光照射手段が照射した光の反射光を受光し、正反射光成分を含む反射光の受光量に応じた検出信号を出力する受光手段と、
前記像担持体に形成された前記検出画像が前記光照射手段による照射領域を通過する間に検出される、１つ以上の第１の時間位置に応じた検出信号の値の和と、前記第１の時間位置とは所定の期間だけ離れた１つ以上の第２の時間位置に応じた検出信号の値の和との差に応じた信号に基づき、前記検出画像の位置情報または濃度情報を検出する検出手段と、を備えることを特徴とする画像形成装置。
【請求項１９】
前記第１の時間位置に応じた検出信号の値は、第１の区間の平均値であり、前記第２の時間位置に応じた検出信号の値は、前記第１の区間から前記所定の期間だけ離れた第２の区間の平均値であることを特徴とする請求項１８に記載の画像形成装置。
【請求項２０】
前記検出画像は、前記検出画像の移動方向とは異なる方向の複数のラインを含み、
前記所定の期間は、前記検出画像の前記複数のラインが移動することにより前記検出信号に生じる振動の周期とは異なる期間であることを特徴とする請求項１８又は１９に記載の画像形成装置。
【請求項２１】
前記検出画像は、前記検出画像の移動方向とは異なる方向の複数のラインを含み、
前記複数のラインの間隔は、前記検出画像の移動による、前記受光手段が受光する前記検出画像からの散乱反射光量の変動が所定量以内となる間隔であることを特徴とする請求項１８から２０のいずれか１項に記載の画像形成装置。
【請求項２２】
像担持体と、
現像剤からなる検出画像を前記像担持体に形成する形成手段と、
前記検出画像が形成された像担持体に向けて光を照射する光照射手段と、
前記光照射手段が照射した光の反射光を受光し、正反射光成分を含む反射光の受光量に応じた第１の検出信号を出力する１つ以上の第１の受光手段と、
前記光照射手段が照射した光の反射光を受光し、正反射光成分を含む反射光の受光量に応じた第２の検出信号を出力する１つ以上の第２の受光手段と、
前記像担持体に形成された前記検出画像が前記光照射手段による照射領域を通過する間に、前記第１の受光手段から出力される前記第１の検出信号の値の和と、前記第２の受光手段から出力される前記第２の検出信号の値の和との差に応じた信号に基づき、前記検出画像の位置情報または濃度情報を検出する検出手段と、を備えることを特徴とする画像形成装置。
【請求項２３】
前記形成手段は、前記像担持体の移動方向とは直交する方向の１つ以上の現像剤によるラインを含む検出画像を前記像担持体に形成し、
前記１つ以上の第１の受光手段それぞれの受光領域の前記移動方向の長さは、前記検出画像のラインの前記移動方向の長さだけ離れた前記像担持体の位置で正反射した光の前記１つ以上の第１の受光手段が配置されている位置での前記移動方向の長さより短く、
前記１つ以上の第２の受光手段それぞれの受光領域の前記移動方向の長さは、前記検出画像のラインの前記移動方向の長さだけ離れた前記像担持体の位置で正反射した光の前記１つ以上の第２の受光手段が配置されている位置での前記移動方向の長さより短いことを特徴とする請求項２２に記載の画像形成装置。
【請求項２４】
前記検出画像は、前記検出画像の移動方向とは異なる方向の複数のラインを含み、
前記第１の受光手段が出力する第１の検出信号及び前記第２の受光手段が出力する第２の検出信号には、前記検出画像の前記複数のラインが移動することにより振動が生じ、
前記第１の検出信号と前記第２の検出信号の位相が異なる様に、前記第１の受光手段と前記第２の受光手段は配置されていることを特徴とする請求項２２又は２３に記載の画像形成装置。
【請求項２５】
前記検出画像は、前記検出画像の移動方向とは異なる方向の複数のラインを含み、
前記複数のラインの間隔は、前記検出画像の移動による、前記第１の受光手段及び前記第２の受光手段が受光する前記検出画像からの散乱反射光量の変動が所定量以内となる間隔であることを特徴とする請求項２２から２４のいずれか１項に記載の画像形成装置。
【請求項２６】
前記位置情報を用いて形成する画像の位置の補正を行う、或いは、前記濃度情報を用いて形成する画像の濃度の補正を行うことを特徴とする請求項１から２５のいずれか１項に記載の画像形成装置。
【請求項２７】
現像剤からなる検出画像が形成された像担持体に向けて光を照射する光照射手段と、
前記光照射手段が照射した光の反射光を受光し、正反射光成分を含む反射光の受光量に応じた検出信号を出力する受光手段と、
前記像担持体に形成された検出画像が前記光照射手段による照射領域を通過する間に、前記検出画像が形成された第１の位置からの反射光の受光量に応じた検出信号の値と、前記第１の位置とは異なる第２の位置であって、前記第１の位置に形成された検出画像と同色で同濃度の検出画像が形成されていない前記第２の位置からの反射光の受光量に応じた検出信号の値との差に応じた、散乱反射光成分を除いた信号に基づき前記検出画像の位置情報または濃度情報を検出する検出手段と、
を備えることを特徴とする検出装置。
【請求項２８】
現像剤からなる検出画像が形成された像担持体に向けて光を照射する光照射手段と、
前記光照射手段が照射した光の反射光を受光し、正反射光成分を含む反射光の受光量に応じた検出信号を出力する受光手段と、
前記像担持体に形成された検出画像が前記光照射手段による照射領域を通過する間に検出される、１つ以上の第１の時間位置に応じた検出信号の値の和と、前記第１の時間位置とは所定の期間だけ離れた１つ以上の第２の時間位置に応じた検出信号の値の和との差に応じた信号に基づき前記検出画像の位置情報または濃度情報を検出する検出手段と、を備えることを特徴とする検出装置。
【請求項２９】
現像剤からなる検出画像が形成された像担持体に向けて光を照射する光照射手段と、
前記光照射手段が照射した光の反射光を受光し、正反射光成分を含む反射光の受光量に応じた第１の検出信号を出力する１つ以上の第１の受光手段と、
前記光照射手段が照射した光の反射光を受光し、正反射光成分を含む反射光の受光量に応じた第２の検出信号を出力する１つ以上の第２の受光手段と、
前記像担持体に形成された検出画像が前記光照射手段による照射領域を通過する間に、前記第１の受光手段から出力される前記第１の検出信号の値の和と、前記第２の受光手段から出力される前記第２の検出信号の値の和との差に応じた信号に基づき前記検出画像の位置情報または濃度情報を検出する検出手段と、を備えることを特徴とする検出装置。
【手続補正２】
【補正対象書類名】明細書
【補正対象項目名】０００８
【補正方法】変更
【補正の内容】
【０００８】
本発明の一側面によると、画像形成装置は、像担持体と、現像剤からなる検出画像を前記像担持体に形成する形成手段と、前記検出画像が形成された像担持体に向けて光を照射する光照射手段と、前記光照射手段が照射した光の反射光を受光し、正反射光成分を含む反射光の受光量に応じた検出信号を出力する受光手段と、前記像担持体に形成された検出画像が前記光照射手段による照射領域を通過する間に、前記検出画像が形成された第１の位置からの反射光の受光量に応じた検出信号の値と、前記第１の位置とは異なる第２の位置であって、前記第１の位置に形成された検出画像と同色で同濃度の検出画像が形成されていない前記第２の位置からの反射光の受光量に応じた検出信号の値との差に応じた、散乱反射光成分を除いた信号に基づき前記検出画像の位置情報または濃度情報を検出する検出手段と、を備えることを特徴とする。